(57)【要約】【課題】容易に収納及び設置が可能な音響反射装置及び音響反射装置の収納方法を提供する。【解決手段】音響反射装置１は、舞台Ａに設けられる正面反射板１０と、正面反射板１０よりも舞台Ａの側方側に設けられる側面反射板１２と、舞台Ａに支持される第１支点部４０、正面反射板１０に接続される第１接続部４２、並びに、第１支点部４０及び第１接続部４２に回動可能に接続される第１リンク部４４を有する第１リンク機構１６と、舞台Ａに支持される第２支点部５０、正面反射板１０に接続される第２接続部５２、並びに、第２支点部５０及び第２接続部５２に回動可能に接続され、かつ、側面反射板１２に接続される第２リンク部５４を有する第２リンク機構１８と、を有する。【選択図】図３
2020068893.tif 000002
【特許請求の範囲】
【請求項１】
舞台に設けられる正面反射板と、
前記正面反射板よりも前記舞台の側方側に設けられる側面反射板と、
前記舞台に支持される第１支点部、前記正面反射板に接続される第１接続部、並びに、前記第１支点部及び前記第１接続部に回動可能に接続される第１リンク部を有する第１リンク機構と、
前記舞台に支持される第２支点部、前記正面反射板に接続される第２接続部、並びに、前記第２支点部及び前記第２接続部に回動可能に接続され、かつ、前記側面反射板に接続される第２リンク部を有する第２リンク機構と、
を有する、音響反射装置。
【請求項２】
前記側面反射板が前記正面反射板の側部から前記舞台の前方側に位置した設置状態において、
前記側面反射板を前記舞台の後方へ押す方向の力が付与された場合、前記第２リンク機構の前記第２支点部を中心に前記第２リンク部を回転させて前記側面反射板が前記舞台の後方側に移動し、かつ、前記第２接続部を介して前記正面反射板に前記力の少なくとも一部が伝達され、
前記第２リンク機構によって前記正面反射板に伝達された前記力によって、前記第１リンク機構の前記第１支点部を中心に前記第１リンク部を回転させて、前記正面反射板が前記舞台の後方側に移動する、
請求項１に記載の音響反射装置。
【請求項３】
前記第１接続部と前記第２接続部とは、前記正面反射板の背面に取付けられる、請求項１又は請求項２に記載の音響反射装置。
【請求項４】
前記第２リンク部は、前記側面反射板に回動不可能に接続される、請求項１から請求項３のいずれか１項に記載の音響反射装置。
【請求項５】
前記第１支点部と前記第２支点部とを結ぶ直線が、前記第１接続部と前記第２接続部とを結ぶ直線に対し平行となるように、前記第１リンク機構と前記第２リンク機構とが配置されている、請求項１から請求項４のいずれか１項に記載の音響反射装置。
【請求項６】
前記側面反射板は、前記第２リンク部に接続される内側板部と、前記内側板部の側部に回動可能に接続される外側板部と、を有する、請求項１から請求項５のいずれか１項に記載の音響反射装置。
【請求項７】
前記正面反射板、前記側面反射板、前記第１リンク機構、及び前記第２リンク機構を有して、前記舞台の側方に向かう方向に沿って並んだ複数の反射板ユニットと、
前記舞台の上方に設けられる天井反射板と、を有する、請求項１から請求項６のいずれか１項に記載の音響反射装置。
【請求項８】
舞台に設けられる正面反射板と、前記正面反射板よりも前記舞台の側方側に設けられる側面反射板と、前記舞台に支持される第１支点部、前記正面反射板に接続される第１接続部、並びに、前記第１支点部及び前記第１接続部に回動可能に接続される第１リンク部を有する第１リンク機構と、前記舞台に支持される第２支点部、前記正面反射板に接続される第２接続部、並びに、前記第２支点部及び前記第２接続部に回動可能に接続され、かつ、前記側面反射板に接続される第２リンク部を有する第２リンク機構と、を有する、音響反射装置の収納方法であって、
前記側面反射板が前記正面反射板の側部から前記舞台の前方側に位置した設置状態において、前記側面反射板を前記舞台の後方へ押す方向の力を付与することで、前記第２リンク機構の前記第２支点部を中心に前記第２リンク部を回転させて前記側面反射板を前記舞台の後方側に移動させ、かつ、前記第２接続部を介して前記正面反射板に前記力の少なくとも一部を伝達させるステップと、
前記第２リンク機構によって前記正面反射板に伝達された前記力によって、前記第１リンク機構の前記第１支点部を中心に前記第１リンク部を回転させて、前記正面反射板を前記舞台の後方側に移動させるステップと、を有する、音響反射装置の収納方法。
【発明の詳細な説明】
【技術分野】
【０００１】
本発明は、音響反射装置、及び音響反射装置の収納方法に関する。
【背景技術】
【０００２】
演劇の上演、オーケストラなどの演奏の上演など、演目によらず上演可能な多目的ホールが使用される場合がある。多目的ホールは、多機能ホール又は多用途ホールとも呼ばれる場合がある。
【０００３】
多目的ホールにおいては、音響効果の向上のために、舞台に音響反射装置を設ける場合がある。例えば特許文献１には、正面反射板と、正面反射板の左右に位置する側面反射板と、正面反射板の上方に位置する天井反射板とを備える音響反射装置が記載されている。特許文献１の音響反射装置は、正面反射板と側面反射板と天井反射板とを折り畳んで、一体で収納可能な構造となっている。
【先行技術文献】
【特許文献】
【０００４】
【特許文献１】特開平１１−１３７８６６号公報
【発明の概要】
【発明が解決しようとする課題】
【０００５】
ここで、特許文献１の音響反射装置は、それぞれの反射板を折り畳むものであるが、反射板自体の重量が大きいため、収納のために折り畳んだり設置のために開いたりする際に、労力を要する。また、特許文献１の音響反射装置は、折り畳んだ状態でワイヤにより天井に引き上げる構成となっているため、天井に引き上げる分、収納や設置に手間を要する。従って、音響反射装置の収納及び設置を容易にするためには、改善の余地がある。
【０００６】
本発明は、上記に鑑みてなされたものであって、容易に収納及び設置が可能な音響反射装置及び音響反射装置の収納方法を提供することを目的とする。
【課題を解決するための手段】
【０００７】
上述した課題を解決し、目的を達成するために、本開示の音響反射装置は、舞台に設けられる正面反射板と、前記正面反射板よりも前記舞台の側方側に設けられる側面反射板と、前記舞台に支持される第１支点部、前記正面反射板に接続される第１接続部、並びに、前記第１支点部及び前記第１接続部に回動可能に接続される第１リンク部を有する第１リンク機構と、前記舞台に支持される第２支点部、前記正面反射板に接続される第２接続部、並びに、前記第２支点部及び前記第２接続部に回動可能に接続され、かつ、前記側面反射板に接続される第２リンク部を有する第２リンク機構と、を有する。
【０００８】
前記側面反射板が前記正面反射板の側部から前記舞台の前方側に位置した設置状態において、前記側面反射板を前記舞台の後方へ押す方向の力が付与された場合、前記第２リンク機構の前記第２支点部を中心に前記第２リンク部を回転させて前記側面反射板が前記舞台の後方側に移動し、かつ、前記第２接続部を介して前記正面反射板に前記力の少なくとも一部が伝達され、前記第２リンク機構によって前記正面反射板に伝達された前記力によって、前記第１リンク機構の前記第１支点部を中心に前記第１リンク部を回転させて、前記正面反射板が前記舞台の後方側に移動することが好ましい。
【０００９】
前記第１接続部と前記第２接続部とは、前記正面反射板の背面に取付けられることが好ましい。
【００１０】
前記第２リンク部は、前記側面反射板に回動不可能に接続されることが好ましい。
【００１１】
前記第１支点部と前記第２支点部とを結ぶ直線が、前記第１接続部と前記第２接続部とを結ぶ直線に対し平行となるように、前記第１リンク機構と前記第２リンク機構とが配置されていることが好ましい。
【００１２】
前記側面反射板は、前記第２リンク部に接続される内側板部と、前記内側板部の端部に回動可能に接続される外側板部と、を有することが好ましい。
【００１３】
前記正面反射板、前記側面反射板、前記第１リンク機構、及び前記第２リンク機構を有して、前記舞台の側方に向かう方向に沿って並んだ複数の反射板ユニットと、前記舞台の上方に設けられる天井反射板と、を有することが好ましい。
【００１４】
上述した課題を解決し、目的を達成するために、本開示の音響反射装置の収納方法は、
舞台に設けられる正面反射板と、前記正面反射板よりも前記舞台の側方側に設けられる側面反射板と、前記舞台に支持される第１支点部、前記正面反射板に接続される第１接続部、並びに、前記第１支点部及び前記第１接続部に回動可能に接続される第１リンク部を有する第１リンク機構と、前記舞台に支持される第２支点部、前記正面反射板に接続される第２接続部、並びに、前記第２支点部及び前記第２接続部に回動可能に接続され、かつ、前記側面反射板に接続される第２リンク部を有する第２リンク機構と、を有する、音響反射装置の収納方法であって、前記側面反射板が前記正面反射板の側部から前記舞台の前方側に位置した設置状態において、前記側面反射板を前記舞台の後方へ押す方向の力を付与することで、前記第２リンク機構の前記第２支点部を中心に前記第２リンク部を回転させて前記側面反射板を前記舞台の後方側に移動させ、かつ、前記第２接続部を介して前記正面反射板に前記力の少なくとも一部を伝達させるステップと、前記第２リンク機構によって前記正面反射板に伝達された前記力によって、前記第１リンク機構の前記第１支点部を中心に前記第１リンク部を回転させて、前記正面反射板を前記舞台の後方側に移動させるステップと、を有する。
【発明の効果】
【００１５】
本発明によれば、音響反射装置を容易に収納及び設置することができる。
【図面の簡単な説明】
【００１６】
【図１】図１は、本実施形態に係る音響反射装置の模式図である。
【図２】図２は、本実施形態に係る音響反射装置の側面図である。
【図３】図３は、本実施形態に係る音響反射装置の設置状態を示す上面図である。
【図４】図４は、本実施形態に係る音響反射装置の収納状態への切り替わり（その１）を示す上面図である。
【図５】図５は、本実施形態に係る音響反射装置の収納状態への切り替わり（その２）を示す上面図である。
【図６】図６は、本実施形態に係る音響反射装置の収納状態を示す上面図である。
【発明を実施するための形態】
【００１７】
以下に、本発明の好適な実施形態を図面に基づいて詳細に説明する。なお、以下に説明する実施形態により本発明が限定されるものではない。
【００１８】
（音響反射装置の構成）
図１は、本実施形態に係る音響反射装置の模式図である。図１に示すように、本実施形態に係る音響反射装置１は、劇場Ｔに設けられる。劇場Ｔは、舞台Ａと客席Ｂとを備える。舞台Ａは、演者による演劇又は演者による演奏などの上演が実施される区域Ａ１を含む。区域Ａ１は、舞台Ａにおいて、客席Ｂと対向する位置にある。客席Ｂは、舞台Ａ上での上演を鑑賞する観客が着席する少なくとも１つの席Ｃが設けられた区域である。以下において、舞台Ａの客席Ｂ側を、舞台Ａの前方と言い、舞台Ａの客席Ｂと反対側を、舞台Ａの後方と言う。また、舞台Ａの鉛直方向の上方を、舞台Ａの上方と言う。また、舞台Ａを前方から見た場合の、舞台Ａの右側及び左側を、舞台Ａの側方という。そして、舞台Ａの前方に向かう方向、すなわち舞台Ａから客席Ｂに向かう方向を、方向Ｘとする。舞台Ａの後方に向かう方向、すなわち客席Ｂから舞台Ａに向かう方向は、方向Ｘと反対方向といえる。また、舞台Ａの上方に向かう方向、すなわち鉛直方向上方に向かう方向を、方向Ｚとする。方向Ｚは、方向Ｘに直交する。そして、舞台Ａの側方のうち右側に向かう方向を、方向Ｙとし、舞台Ａの左側に向かう方向、すなわち舞台Ａの側方のうち左側に向かう方向を、方向Ｙと反対方向とする。方向Ｙは、方向Ｘ及び方向Ｚに直交する。なお、劇場Ｔは、本実施形態では多目的ホールであるが、舞台Ａが設けられる設備であれば、多目的ホールに限られない。
【００１９】
音響反射装置１は、舞台Ａに設けられる。音響反射装置１は、正面反射板１０Ａ、１０Ｂと、側面反射板１２Ａ、１２Ｂと、天井反射板１４と、を有する。正面反射板１０Ａ、１０Ｂは、舞台Ａの後方、すなわち区域Ａ１の方向Ｘとは反対方向側に設置される反射板である。側面反射板１２Ａは、舞台Ａの側方、すなわち区域Ａ１の方向Ｙ側に設置される反射板であり、側面反射板１２Ｂは、舞台Ａの側方、すなわち区域Ａ１の方向Ｙとは反対方向側に設置される反射板である。天井反射板１４は、舞台Ａの上方、すなわち区域Ａ１の方向Ｚ側に設置される反射板である。正面反射板１０Ａ、１０Ｂと側面反射板１２Ａ、１２Ｂと天井反射板１４とは、舞台Ａの区域Ａ１を前方の客席Ｂ側に開放しつつ、舞台Ａの区域Ａ１の周囲、すなわち後方、上方、両側方を覆うことで、舞台Ａ上の音を客席Ｂに向けて反射可能としている。なお、以下、正面反射板１０Ａ、１０Ｂを区別しない場合は、正面反射板１０と記載し、側面反射板１２Ａ、１２Ｂを区別しない場合は、側面反射板１２と記載する。
【００２０】
図２は、本実施形態に係る音響反射装置の側面図である。正面反射板１０と側面反射板１２と天井反射板１４とは、上演の際などに使用される場合には、図２の実線に示すように、区域Ａ１の周囲に設置される。一方、正面反射板１０と側面反射板１２と天井反射板１４とは、使用されない場合には、図２の破線に示すように、舞台Ａの区域Ａ１以外の箇所に収納される。言い換えれば、音響反射装置１は、使用される場合の設置状態と、使用されない場合の収納状態とを切り替え可能な構成となっている。
【００２１】
天井反射板１４は、板状の部材であり、音を反射可能な反射板である。天井反射板１４は、表面１４ａが、区域Ａ１側に設置される。表面１４ａは、図２の例では、平面状であるが、曲面状であってもよいし、凹部や凸部を有する形状であってもよい。すなわち、表面１４ａは、音を好適に反射可能な形状となっているのが好ましいが、その形状は任意である。天井反射板１４は、表面１４ａの背面１４ｂに、補強部１５を有する。補強部１５は、天井反射板１４を補強する部材であり、例えば格子状の部材である。天井反射板１４は、図２の破線に示すように、収納状態において、表面１４ａが方向Ｚに沿うように、ワイヤＷ１に吊るされている。収納状態から設置状態にする場合、天井反射板１４は、ワイヤＷ１が緩められることで、表面１４ａが方向Ｚに沿った状態のまま、下方側（方向Ｚと反対方向側）に吊り降ろされる。そして、天井反射板１４は、下方側の端部が前方側（方向Ｘ側）に向けて持ち上げられることで、図２の実線に示すように、表面１４ａが下方側を向いて区域Ａ１の上方側（方向Ｚ側）を覆った設置状態となる。また、天井反射板１４は、設置状態から収納状態にする場合、前方側の端部が下方側に倒されることで、表面１４ａが方向Ｚに沿った状態に戻る。そして、天井反射板１４は、表面１４ａが方向Ｚに沿った状態のまま、ワイヤＷ１によって上方側に吊り上げられることで、収納状態に戻る。なお、天井反射板１４は、図示しない駆動機械を用いてワイヤＷ１を動かすことにより、設置状態と収納状態とが切り替えられる。ただし、天井反射板１４の設置状態と収納状態との切り替えの形態は、これに限られず任意である。天井反射板１４は、設置状態において、区域Ａ１の上方側を覆う構成となっていればよい。
【００２２】
また、図２に示すように、音響反射装置１は、正面反射板１０、側面反射板１２、及び天井反射板１４に加え、第１リンク機構１６と第２リンク機構１８とを有する。正面反射板１０と側面反射板１２とは、第１リンク機構１６と第２リンク機構１８とを介して接続される。一方、正面反射板１０と側面反射板１２とは、天井反射板１４とは接続されずに別体となっている。正面反射板１０と側面反射板１２とは、第１リンク機構１６と第２リンク機構１８とによって、設置状態と収納状態とを切り替え可能となっている。正面反射板１０と側面反射板１２とは、収納状態において、図２の破線に示すように、区域Ａ１よりも後方側（方向Ｘと反対側）に収納されている。一方、正面反射板１０と側面反射板１２とは、設置状態においては、図２の実線に示すように、収納状態よりも前方側（方向Ｘ側）に位置して、区域Ａ１の周囲に設置されている。すなわち、正面反射板１０と側面反射板１２とは、前方側に移動しつつ、区域Ａ１の周囲に配置されるように変形することで、収納状態から設置状態に切り替わり、舞台Ａの後方側に移動しつつ収納可能なように変形することで、設置状態から収納状態に切り替わるといえる。なお、図２では、説明の便宜上、正面反射板１０と側面反射板１２と第１リンク機構１６と第２リンク機構１８とについて、一部構成が省略されている。また、図２には、音響反射装置１が有する、補強部２０、３６、第１支点部４０、第１リンク部４４、第２支点部５０、第２リンク部５４、が記載されている。以下、これらを含んだ音響反射装置１の具体的な構成について、図３に基づきに説明する。
【００２３】
図３は、本実施形態に係る音響反射装置の設置状態を示す上面図である。図３は、正面反射板１０と側面反射板１２と第１リンク機構１６と第２リンク機構１８とを、上面視、すなわち方向Ｚ側から見た模式図であり、天井反射板１４は省略されている。また、図３は、音響反射装置１の設置状態を示している。図３に示すように、音響反射装置１は、反射板ユニット１１Ａと、反射板ユニット１１Ｂとを有している。反射板ユニット１１Ａと反射板ユニット１１Ｂとは、方向Ｙに沿って並んでいる。反射板ユニット１１Ａは、舞台Ａにおいて方向Ｙ側に位置しており、正面反射板１０Ａと、側面反射板１２Ａと、第１リンク機構１６Ａと、第２リンク機構１８Ａとを有している。反射板ユニット１１Ｂは、舞台Ａにおいて方向Ｙと反対側に位置しており、言い換えれば、反射板ユニット１１Ａよりも方向Ｙと反対側に位置している。反射板ユニット１１Ｂは、正面反射板１０Ｂと、側面反射板１２Ｂと、第１リンク機構１６Ｂと、第２リンク機構１８Ｂとを有している。以下、反射板ユニット１１Ａと反射板ユニット１１Ｂとを互いに区別しない場合は、反射板ユニット１１と記載する。また、第１リンク機構１６Ａ、１６Ｂを区別しない場合は、第１リンク機構１６と記載し、第２リンク機構１８Ａ、第２リンク機構１８Ｂを区別しない場合は、第２リンク機構１８と記載する。
【００２４】
正面反射板１０Ａは、板状の部材であり、音を反射可能な反射板である。図３に示すように、正面反射板１０Ａは、設置状態において、表面１０ａが方向Ｘ側、すなわち舞台Ａの前方側に位置している。すなわち、正面反射板１０Ａは、表面１０ａが、区域Ａ１に面する正面であるといえる。正面反射板１０Ａは、設置状態において、表面１０ａが方向Ｙに沿うように、区域Ａ１の後方側（方向Ｘと反対方向側）に配置されている。表面１０ａは、図３の例では、平面状であるが、曲面状であってもよいし、凹部や凸部を有する形状であってもよい。すなわち、表面１０ａは、音を好適に反射可能な形状となっているのが好ましいが、その形状は任意である。
【００２５】
また、正面反射板１０Ａは、表面１０ａの背面１０ｂに、補強部２０が設けられている。補強部２０は、正面反射板１０Ａを補強する部材であり、例えば格子状の部材である。補強部２０は、正面反射板１０Ａの背面１０ｂにおいて、図３に示すように端部２０ａから端部２０ｂまで方向Ｙに向けて延在しつつ、図２に示すように方向Ｚに沿っても延在している。
【００２６】
第１リンク機構１６Ａは、正面反射板１０Ａに接続されるリンク機構である。第１リンク機構１６Ａは、第１支点部４０と、第１接続部４２と、第１リンク部４４とを有する。第１支点部４０は、第１リンク機構１６Ａの固定端である。第１支点部４０は、舞台Ａに支持される部材であり、舞台Ａに対して位置が固定されている。第１支点部４０は、設置状態の正面反射板１０Ａよりも、後方側（方向Ｘと反対側）に位置している。本実施形態では、第１支点部４０は、舞台Ａの床面Ａ０に固定され、舞台Ａの床面Ａ０から方向Ｚに沿って延在する軸状の部材である。ただし、第１支点部４０は、設置状態の正面反射板１０Ａよりも後方側で舞台Ａに対して位置が固定された部材であれば、舞台Ａの床面Ａ０から方向Ｚに沿って延在する軸状の部材であることに限られない。例えば、第１支点部４０は、舞台Ａの壁面や天井などに固定されていてもよい。
【００２７】
第１接続部４２は、第１リンク機構１６Ａの自由端である。第１接続部４２は、正面反射板１０Ａ、ここでは正面反射板１０Ａの背面１０ｂに接続される部材であり、正面反射板１０Ａに対して位置が固定されている。一方、第１接続部４２は、舞台Ａに対しては位置が固定されておらず、舞台Ａに対して相対的に移動可能となっている。より詳しくは、第１接続部４２は、補強部２０に取付けられることで、正面反射板１０Ａの背面１０ｂに接続されている。第１接続部４２は、補強部２０の方向Ｙと反対側の端部２０ａに接続されている。なお、端部２０ａは、補強部２０の、設置状態における側面反射板１２Ａが配置されている側と反対側の端部であるともいえる。従って、第１接続部４２は、正面反射板１０Ａの背面１０ｂの、設置状態における側面反射板１２Ａが配置されている側と反対側の位置に接続されているといえる。本実施形態では、第１接続部４２は、方向Ｚに延在する軸状部材であり、例えば補強部２０の端部２０ａに設けられた図示しない開口に挿入されることで、補強部２０の端部２０ａに固定されている。ただし、第１接続部４２は、方向Ｚに延在する軸状部材であることに限られず、正面反射板１０Ａに接続される部材であれば任意の構造であってよい。
【００２８】
第１リンク部４４は、第１リンク機構１６Ａのリンクである。第１リンク部４４は、第１支点部４０と第１接続部４２とに回動可能、言い換えれば回転可能に接続される部材である。第１リンク部４４は、一方の端部４４ａから他方の端部４４ｂまで延在する。第１リンク部４４は、一方の端部４４ａが第１支点部４０に回動可能に接続される。従って、第１リンク部４４は、第１支点部４０を中心軸として、言い換えれば、第１支点部４０から方向Ｚに沿って延びる軸を中心軸として、回転可能である。例えば本実施形態において、第１リンク部４４は、一方の端部４４ａに方向Ｚに沿って貫通する開口部が開口しており、この開口部に第１支点部４０が固定されない状態で挿入されることで、第１支点部４０に対して回動可能に接続されている。また、第１リンク部４４は、他方の端部４４ｂが第１接続部４２に回動可能に接続される。従って、第１リンク部４４は、第１接続部４２を中心軸として、言い換えれば、第１接続部４２から方向Ｚに沿って延びる軸を中心軸として、正面反射板１０Ａに対して相対的に回転可能である。例えば本実施形態において、第１リンク部４４は、他方の端部４４ｂにも方向Ｚに沿って貫通する開口部が開口しており、この開口部に第１接続部４２が固定されない状態で挿入されることで、第１接続部４２に対して回動可能に接続されている。
【００２９】
なお、第１リンク部４４は、設置状態と収納状態とを切り替える際に受ける力によっては実質的に変形しない程度の強度を有する部材である。また、第１リンク部４４は、一方の端部４４ａから他方の端部４４ｂまで延在しつつ、図２に示すように方向Ｚにも延在している。すなわち、第１リンク部４４は、方向Ｚにも延在する板状の部材となっている。また、図２に示すように、第１リンク部４４は、方向Ｚと反対側（下方側）の端面が、舞台Ａの床面Ａ０よりも方向Ｚ側に位置している。すなわち、第１リンク部４４は、舞台Ａの床面Ａ０から離間している。ただし、第１リンク部４４は、第１支点部４０及び第１接続部４２に回動可能に接続される部材であれば、以上説明した構造に限られず、任意の構造であってもよい。
【００３０】
第２リンク機構１８Ａは、正面反射板１０Ａと側面反射板１２Ａとに接続されるリンク機構である。第２リンク機構１８Ａは、第２支点部５０と、第２接続部５２と、第２リンク部５４とを有する。第２支点部５０は、第２リンク機構１８Ａの固定端である。第２支点部５０は、舞台Ａに支持される部材であり、舞台Ａに対して位置が固定されている。第２支点部５０は、設置状態の正面反射板１０Ａよりも、後方側（方向Ｘと反対側）に位置している。本実施形態では、第２支点部５０は、舞台Ａの床面Ａ０に固定され、舞台Ａの床面Ａ０から方向Ｚに沿って延在する軸状の部材である。ただし、第２支点部５０は、設置状態の正面反射板１０Ａよりも後方側で舞台Ａに対して位置が固定された部材であれば、舞台Ａの床面Ａ０から方向Ｚに沿って延在する軸状の部材であることに限られない。例えば、第２支点部５０は、舞台Ａの壁面又は天井などに固定されていてもよい。
【００３１】
また、第２支点部５０は、第１支点部４０よりも、方向Ｙ側に位置している。言い換えれば、第２支点部５０は、第１支点部４０よりも、設置状態における側面反射板１２Ａが配置されている側に位置している。また、本実施形態において、第２支点部５０は、第１支点部４０に対し、方向Ｘにおける位置が同じとなっている。言い換えれば、上面視において、すなわち方向Ｚから見た第１支点部４０と第２支点部５０とを結んだ線分Ｌ１は、方向Ｙに沿っている。
【００３２】
第２接続部５２は、第２リンク機構１８Ａの自由端である。第２接続部５２は、正面反射板１０Ａ、ここでは正面反射板１０Ａの背面１０ｂに接続される部材であり、正面反射板１０Ａに対して位置が固定されている。一方、第２接続部５２は、舞台Ａに対しては位置が固定されておらず、舞台Ａに対して相対的に移動可能となっている。より詳しくは、第２接続部５２は、補強部２０に取付けられることで、正面反射板１０Ａの背面１０ｂに接続されている。また、第２接続部５２は、第１接続部４２よりも、方向Ｙ側に位置している。言い換えれば、第２接続部５２は、第１接続部４２よりも、設置状態における側面反射板１２Ａが配置されている側に位置している。具体的には、第２接続部５２は、補強部２０の方向Ｙ側の端部２０ｂに接続されている。端部２０ｂは、補強部２０の、設置状態における側面反射板１２Ａが配置されている側の端部であるともいえる。従って、第２接続部５２は、正面反射板１０Ａの背面１０ｂの、設置状態における側面反射板１２Ａが配置されている側の位置に接続されているといえる。本実施形態では、第２接続部５２は、方向Ｚに延在する軸状部材であり、例えば補強部２０の端部２０ｂに設けられた図示しない開口に挿入されることで、補強部２０の端部２０ｂに固定されている。ただし、第２接続部５２は、方向Ｚに延在する軸状部材であることに限られず、正面反射板１０Ａに接続される部材であれば任意の構造であってよい。
【００３３】
第２リンク部５４は、第２リンク機構１８Ａのリンクである。第２リンク部５４は、第２支点部５０と第２接続部５２とに回動可能、言い換えれば回転可能に接続され、かつ、側面反射板１２Ａに接続される部材である。第２リンク部５４は、一方の端部５４ａから他方の端部５４ｂまで延在する部材であり、一方の端部５４ａと他方の端部５４ｂとの間に、中間接続部５４ｃを有している。第２リンク部５４は、一方の端部５４ａが第２支点部５０に回動可能に接続される。従って、第２リンク部５４は、第２支点部５０を中心軸として、言い換えれば、第２支点部５０から方向Ｚに沿って延びる軸を中心軸として、回転可能である。例えば本実施形態において、第２リンク部５４は、一方の端部５４ａに方向Ｚに沿って貫通する開口部が開口しており、この開口部に第２支点部５０が固定されない状態で挿入されることで、第２支点部５０に対して回動可能に接続されている。
【００３４】
また、第２リンク部５４は、他方の端部５４ｂが、側面反射板１２Ａに接続されている。第２リンク部５４は、側面反射板１２Ａに対し、回動不可能に、すなわち位置が固定された状態で、接続されている。具体的には、第２リンク部５４は、中間接続部５４ｃよりも他方の端部５４ｂ側の箇所から他方の端部５４ｂまでの間の部分において、側面反射板１２Ａの背面１２ｂに接続されている。第２リンク部５４がこのように側面反射板１２Ａに対して位置が固定された状態で接続されるため、第２リンク部５４と側面反射板１２Ａとは、一体で移動する。
【００３５】
また、第２リンク部５４は、中間接続部５４ｃが、第２接続部５２に回動可能に接続される。従って、第２リンク部５４は、第２接続部５２を中心軸として、言い換えれば、第２接続部５２から方向Ｚに沿って延びる軸を中心軸として、正面反射板１０Ａに対して相対的に回転可能である。例えば本実施形態において、第２リンク部５４は、中間接続部５４ｃにも方向Ｚに沿って貫通する開口部が開口しており、この開口部に第２接続部５２が固定されない状態で挿入されることで、第２接続部５２に対して回動可能に接続されている。
【００３６】
なお、第２リンク部５４は、設置状態と収納状態とを切り替える際に受ける力によっては実質的に変形しない程度の強度を有する部材である。また、図２に示すように、第２リンク部５４は、一方の端部５４ａから他方の端部５４ｂまで延在しつつ、方向Ｚにも延在している。すなわち、第２リンク部５４は、方向Ｚにも延在する板状の部材となっている。また、図２に示すように、第２リンク部５４は、方向Ｚと反対側（下方側）の端面が、舞台Ａの床面Ａ０よりも方向Ｚ側に位置している。すなわち、第２リンク部５４は、舞台Ａの床面Ａ０から離間している。ただし、第２リンク部５４は、第２支点部５０及び第２接続部５２に回動可能に接続され、かつ、側面反射板１２Ａに接続される部材であれば、以上説明した構造に限られず、任意の構造であってもよい。
【００３７】
ここで、第１リンク機構１６Ａと第２リンク機構１８Ａとは、四節リンクであり、さらに言えば、平行リンクとなっている。具体的には、上面視において、すなわち方向Ｚから見て第１接続部４２と第２接続部５２とを結ぶ線分Ｌ２は、第１支点部４０と第２支点部５０とを結んだ線分Ｌ１に平行となっている。さらに、線分Ｌ１と線分Ｌ２とは、長さが同一となっている。すなわち、方向Ｚから見て、第１支点部４０と第２支点部５０との間の距離と、第１接続部４２と第２接続部５２との間の距離とは、同一となっている。また、方向Ｚから見て、第１支点部４０と第１接続部４２との間の距離、すなわち第１リンク部４４の一方の端部４４ａから他方の端部４４ｂまでの長さは、第２支点部５０と第２接続部５２との間の距離、すなわち第２リンク部５４の一方の端部５４ａから中間接続部５４ｃまでの長さと同一となっており、向きも平行となっている。従って、第１支点部４０と第１接続部４２と第２接続部５２と第２支点部５０とは、平行四辺形の頂点を形成しているといえる。なお、ここでの同一とは、一般的な公差を含んでおり、一般的な公差程度、値がずれても、同一であるといってよい。ただし、第１リンク機構１６Ａと第２リンク機構１８Ａとは、必ずしも平行リンクでなくてもよい。言い換えれば、線分Ｌ１と線分Ｌ２とは、平行でなくてもよいし、長さが異なってもよい。
【００３８】
側面反射板１２Ａは、板状の部材であり、音を反射可能な反射板である。側面反射板１２Ａは、正面反射板１０Ａよりも舞台Ａの側方側、すなわち方向Ｙ側に位置している。側面反射板１２Ａは、端部１２ｃから端部１２ｄまで、方向Ｘに向けて延在している。側面反射板１２Ａは、設置状態において、端部１２ｃが正面反射板１０Ａの方向Ｙ側の端部（側部）に隙間を隔てて対向しており、端部１２ｃから端部１２ｄに向けて、方向Ｘに延在している。側面反射板１２Ａは、設置状態において、端部１２ｃから端部１２ｄに向かうに従って、方向Ｙ側に、すなわち広がる方向に傾斜している。また、側面反射板１２Ａは、表面１２ａが、正面反射板１０Ａ側、すなわち方向Ｙと反対側に位置している。すなわち、側面反射板１２Ａは、表面１２ａが、区域Ａ１に面する正面であるといえる。図３の例では、表面１２ａは、平面状であるが、曲面状であってもよいし、凹部や凸部を有する形状であってもよい。すなわち、表面１２ａは、音を好適に反射可能な形状となっているのが好ましいが、その形状は任意である。また、側面反射板１２Ａは、表面１２ａの背面１２ｂが、正面反射板１０Ａと反対側、すなわち方向Ｙ側に位置しており、上述のように、この背面１２ｂに第２リンク部５４が接続されている。
【００３９】
より詳しくは、本実施形態における側面反射板１２Ａは、内側板部３０と、外側板部３２と、連結部３４とを有する。内側板部３０は、設置状態において、側面反射板１２Ａの方向Ｘと反対側（後方側）の領域を形成している。内側板部３０は、端部３０ｃから端部３０ｄまで、方向Ｘに向けて延在している。そして、内側板部３０の端部３０ｃが、側面反射板１２Ａの端部１２ｃであるといえる。また、内側板部３０の表面３０ａは、側面反射板１２Ａの表面１２ａの全域のうち、方向Ｘと反対側の領域を占めている。そして、内側板部３０の背面３０ｂは、側面反射板１２Ａの背面１２ｂの全域のうち、方向Ｘと反対側の領域を占めている。第２リンク部５４は、内側板部３０の背面３０ｂに接続される。
【００４０】
外側板部３２は、設置状態においては、側面反射板１２Ａの方向Ｘ側（前方側）の領域を形成している。すなわち、外側板部３２は、内側板部３０を隔てて、第２リンク機構１８Ａと反対側に位置しており、設置状態においては、内側板部３０よりも方向Ｘ側に位置している。外側板部３２は、端部３２ｃから端部３２ｄまで、方向Ｘに向けて延在している。そして、外側板部３２の端部３０ｄが、側面反射板１２Ａの端部１２ｄであるといえる。また、外側板部３２の表面３２ａは、側面反射板１２Ａの表面１２ａの全域のうち、方向Ｘ側の領域を占めており、設置状態において、内側板部３０の表面３０ａに沿っている。また、外側板部３２の背面３２ｂは、側面反射板１２Ａの背面１２ｂの全域のうち、方向Ｘ側の領域を占めている。また、外側板部３２の背面３２ｂには、補強部３６が設けられている。補強部３６は、外側板部３２を補強する部材であり、例えば格子状の部材である。
【００４１】
外側板部３２は、設置状態においては、端部３２ｃが、内側板部３０の端部３０ｄに対向するように設けられている。また、連結部３４は、第２リンク部５４の他方の端部５４ｂと、補強部３６の方向Ｘと反対側の端部３６ａとを、回動可能に連結している。そのため、補強部３６に取付けられた外側板部３２は、第２リンク部５４に取付けられた内側板部３０に対して、連結部３４を介して回動可能に接続されているといえる。従って、外側板部３２は、端部３２ｃ、より具体的には連結部３４を中心軸として、言い換えれば、端部３２ｃ、より具体的には連結部３４における方向Ｚに沿った軸を中心軸として、内側板部３０に対して回転可能である。すなわち、側面反射板１２Ａは、外側板部３２が内側板部３０に対して回動することで、折り畳み可能に構成されている。
【００４２】
また、外側板部３２は、開閉可能な扉部３２ｓを有している。すなわち、外側板部３２は、一部の領域が扉部３２ｓを形成して開閉可能に構成されている。扉部３２ｓは、表面３２ａ側から背面３２ｂ側に向けて、観音扉状に開く事が可能となっている。外側板部３２は、設置状態において、扉部３２ｓが開かれることで、扉部３２ｓを通った人や資材の出入りが可能となる。ただし、扉部３２ｓは、例えば内側板部３０など、外側板部３２以外に設けられていてもよい。また、扉部３２ｓは、設けられていなくてもよい。
【００４３】
なお、外側板部３２の端部３２ｃから端部３２ｄまでの長さは、内側板部３０の端部３０ｃから端部３０ｄまでの長さよりも長くなっている。ただし、長さの大小関係はそれに限られず、外側板部３２の端部３２ｃから端部３２ｄまでの長さは、内側板部３０の端部３０ｃから端部３０ｄまでの長さに対し、同じでもよいし短くてもよい。また、側面反射板１２Ａは、折り畳み可能な外側板部３２と内側板部３０とを有することに限られず、例えば１枚の板で構成されていてもよい。
【００４４】
また、舞台Ａには、旋回パネル６０が設けられている。旋回パネル６０は、反射板ユニット１１Ａとは別体で構成されているが、反射板ユニット１１Ａと共に区域Ａ１を覆うように構成される反射板である。旋回パネル６０は、パネル部６０ａと回転軸部６０ｂとを有しており、反射板であるパネル部６０ａが、回転軸部６０ｂを中心軸として、言い換えれば回転軸部６０ｂにおける方向Ｚに沿った軸を中心軸として、回転可能である。図３に示すように、パネル部６０ａは、設置状態において、回転軸部６０ｂと反対側の端部が、外側板部３２の端部３２ｄ（側面反射板１２Ａの端部１２ｄ）に対向するように配置される。これにより、パネル部６０ａは、設置状態において、外側板部３２の表面３２ａ（側面反射板１２Ａの表面１２ａ）に沿い、側面反射板１２Ａよりも方向Ｘ側の区域Ａ１を覆う。ただし、旋回パネル６０は、設けられていなくてもよい。
【００４５】
反射板ユニット１１Ａは、以上のような構成となっている。反射板ユニット１１Ｂは、方向Ｘに沿った舞台Ａの中央の線Ｌ３を介して、反射板ユニット１１Ａに線対称で配置されている。すなわち、反射板ユニット１１Ｂの正面反射板１０Ｂは、線Ｌ３に対して線対称に配置される以外は、正面反射板１０Ａと同様の構造である。さらに言えば、設置状態において、正面反射板１０Ｂの表面１０ａは、正面反射板１０Ａの表面１０ａに沿う。従って、設置状態において、正面反射板１０Ａと正面反射板１０Ｂとは、Ｙ方向に沿って並ぶことで、区域Ａ１の後方側を覆う正面反射板となる。また、反射板ユニット１１Ｂの側面反射板１２Ｂは、線Ｌ３に対して線対称に配置される以外は、側面反射板１２Ａと同様の構造である。さらに言えば、設置状態において、側面反射板１２Ａが区域Ａ１の方向Ｙ側を覆い、側面反射板１２Ｂが区域Ａ１の方向Ｙと反対側を覆う。また、反射板ユニット１１Ｂの第１リンク機構１６Ｂは、線Ｌ３に対して線対称に配置される以外は、第１リンク機構１６Ａと同様の構造である。また、反射板ユニット１１Ｂの第２リンク機構１８Ｂは、線Ｌ３に対して線対称に配置される以外は、第２リンク機構１８Ａと同様の構造である。すなわち、第１リンク機構１６Ｂは、正面反射板１０Ｂに接続され、第２リンク機構１８Ｂは、正面反射板１０Ｂと側面反射板１２Ｂとに接続される。
【００４６】
（音響反射装置の動作）
音響反射装置１は、以上のような構成となっている。次に、設置状態と収納状態との切り替え時における、音響反射装置１の動作について説明する。図４は、本実施形態に係る音響反射装置の収納状態への切り替わり（その１）を示す上面図であり、図５は、本実施形態に係る音響反射装置の収納状態への切り替わり（その２）を示す上面図であり、図６は、本実施形態に係る音響反射装置の収納状態を示す上面図である。
【００４７】
最初に、設置状態について説明する。図３に示すように、正面反射板１０Ａ、１０Ｂは、設置状態において、方向Ｙに沿って並び、それぞれの表面１０ａが方向Ｙに沿った状態で、区域Ａ１の後方側（方向Ｘと反対側）に位置している。そして、側面反射板１２Ａは、設置状態において、正面反射板１０Ａの方向Ｙ側に位置し、端部１２ｃが正面反射板１０Ａの方向Ｙ側の端部（側部）側に位置している。側面反射板１２Ａは、端部１２ｃから端部１２ｄまで、端部１２ｄに向かうに従って方向Ｙ側に傾斜しつつ、方向Ｘに向けて延在している。側面反射板１２Ａは、設置状態においてこのように配置されることで、区域Ａ１の方向Ｙ側を覆っている。また、側面反射板１２Ｂは、設置状態において、正面反射板１０Ｂの方向Ｙと反対側に位置し、端部１２ｃが正面反射板１０Ｂの方向Ｙと反対側の端部（側部）側に位置している。側面反射板１２Ｂは、端部１２ｃから端部１２ｄまで、端部１２ｄに向かうに従って方向Ｙと反対方向側に傾斜しつつ、方向Ｘに向けて延在している。側面反射板１２Ｂは、設置状態においてこのように配置されることで、区域Ａ１の方向Ｙと反対側を覆っている。なお、設置状態において、側面反射板１２Ａ、１２Ｂは、外側板部３２が内側板部３０に対して折り畳まれておらず、外側板部３２の表面３２ａは、内側板部３０の表面３０ａに沿った状態となっている。また、設置状態において、旋回パネル６０は、パネル部６０ａが、外側板部３２の表面３２ａに沿うように配置されている。
【００４８】
このように、設置状態においては、側面反射板１２が、正面反射板１０の側部、すなわち正面反射板１０の方向Ｙにおける端部から、舞台Ａの前方側（方向Ｘ側）に突出するように位置している。
【００４９】
第１リンク機構１６Ａ、１６Ｂと第２リンク機構１８Ａ、１８Ｂとは、正面反射板１０Ａ、１０Ｂと側面反射板１２Ａ、１２Ｂを、このような設置状態に保持している。すなわち、第１リンク機構１６Ａの第１支点部４０は、設置状態において、正面反射板１０Ａよりも方向Ｘと反対側の固定された位置にある。そして、第１リンク機構１６Ａの第１接続部４２は、設置状態において、正面反射板１０Ａの背面１０ｂ、すなわち補強部２０の端部２０ａに接続されているため、第１支点部４０よりも方向Ｘ側に位置している。そのため、第１リンク機構１６Ａの第１リンク部４４は、設置状態において、第１支点部４０に接続された一方の端部４４ａから、第１接続部４２に接続された他方の端部４４ｂまで、方向Ｘに向けて延在した状態となっている。
【００５０】
また、第２リンク機構１８Ａの第２支点部５０は、設置状態において、正面反射板１０Ａよりも方向Ｘと反対側であって第１支点部４０よりも方向Ｙ側の、固定された位置にある。そして、第２リンク機構１８Ａの第２接続部５２は、設置状態において、正面反射板１０Ａの背面１０ｂ、すなわち補強部２０の端部２０ｂに接続されているため、第２支点部５０よりも方向Ｘ側に位置している。従って、第２リンク機構１８Ａの第２リンク部５４は、第２支点部５０に接続された一方の端部５４ａから、第２接続部５２に接続された中間接続部５４ｃを経て、側面反射板１２Ａに接続された他方の端部５４ｂまで、方向Ｘに向けて延在した状態となっている。
【００５１】
同様に、第１リンク機構１６Ｂの第１支点部４０は、設置状態において、正面反射板１０Ｂよりも方向Ｘと反対側の固定された位置にある。そして、第１リンク機構１６Ｂの第１接続部４２は、設置状態において、正面反射板１０Ｂの背面１０ｂ、すなわち補強部２０の端部２０ａに接続されているため、第１支点部４０よりも方向Ｘ側に位置している。そのため、第１リンク機構１６Ｂの第１リンク部４４は、設置状態において、第１支点部４０に接続された一方の端部４４ａから、第１接続部４２に接続された他方の端部４４ｂまで、方向Ｘに向けて延在した状態となっている。
【００５２】
また、第２リンク機構１８Ｂの第２支点部５０は、設置状態において、正面反射板１０Ｂよりも方向Ｘと反対側であって第１支点部４０よりも方向Ｙと反対側の、固定された位置にある。そして、第２リンク機構１８Ｂの第２接続部５２は、設置状態において、正面反射板１０Ｂの背面１０ｂ、すなわち補強部２０の端部２０ｂに接続されているため、第２支点部５０よりも方向Ｘ側に位置している。従って、第２リンク機構１８Ｂの第２リンク部５４は、第２支点部５０に接続された一方の端部５４ａから、第２接続部５２に接続された中間接続部５４ｃを経て、側面反射板１２Ａに接続された他方の端部５４ｂまで、方向Ｘに向けて延在した状態となっている。
【００５３】
すなわち、音響反射装置１は、第１リンク機構１６Ａの第１リンク部４４を、一方の端部４４ａから他方の端部４４ｂまで方向Ｘに向けて延在した状態としつつ、第２リンク機構１８Ａの第２リンク部５４を、一方の端部５４ａから中間接続部５４ｃを経て他方の端部５４ｂまで方向Ｘに向けて延在した状態とすることで、正面反射板１０Ａと側面反射板１２Ａとを、設置状態に保持する。また、音響反射装置１は、第１リンク機構１６Ｂの第１リンク部４４を、一方の端部４４ａから他方の端部４４ｂまで方向Ｘに向けて延在した状態としつつ、第２リンク機構１８Ｂの第２リンク部５４を、一方の端部５４ａから中間接続部５４ｃを経て他方の端部５４ｂまで方向Ｘに向けて延在した状態とすることで、正面反射板１０Ｂと側面反射板１２Ｂとを、設置状態に保持する。
【００５４】
以上のような図３に示した設置状態から収納状態に切り替える際には、最初に、旋回パネル６０を外側板部３２の表面３２ａに沿う状態から解除しつつ、外側板部３２を折り畳むことで、音響反射装置１を、図４の状態とする。具体的には、作業者は、旋回パネル６０を、回転軸部６０ｂを中心に回転させて、外側板部３２の表面３２ａに沿う状態から解除する（図３の破線参照）。そして、作業者は、図３に示した設置状態において、側面反射板１２Ａの外側板部３２を、方向Ｙ側に向けて押す。すなわち、側面反射板１２Ａの外側板部３２には、作業者によって、外側板部３２の表面３２ａを押す方向の力である力Ｆ１Ａが作用する。言い換えれば、力Ｆ１Ａは、表面３２ａに対して直交する方向であって、表面３２ａを押す方向のベクトル成分を有する力である。側面反射板１２Ａの外側板部３２は、力Ｆ１Ａが作用することで、方向Ｚから見て、連結部３４を回転軸とした方向Ｙ側へのモーメント、すなわち図３の例では方向Ｚから見て反時計回りのモーメントが作用する。側面反射板１２Ａの外側板部３２は、この反時計回りのモーメントにより、図４に示すように、反時計回りに回転して、折り畳まれる。図４に示すように、側面反射板１２Ａの外側板部３２は、折り畳まれることで、背面３２ｂが、内側板部３０の背面３０ｂに対向する。すなわち、側面反射板１２Ａの外側板部３２は、背面３２ｂに設けられた補強部３６が、背面３０ｂに設けられた第２リンク部５４に対向するように、折り畳まれる。なお、側面反射板１２Ａの外側板部３２が折り畳まれた状態において、補強部３６と第２リンク部５４とは、離間していることが好ましいが、接触していてもよい。
【００５５】
同様に、作業者は、図３に示した設置状態において、側面反射板１２Ｂの外側板部３２を、方向Ｙと反対側に向けて押す。すなわち、側面反射板１２Ｂの外側板部３２は、作業者によって、外側板部３２の表面３２ａを押す方向の力である力Ｆ１Ｂが作用する。従って、側面反射板１２Ｂの外側板部３２は、力Ｆ１Ａが作用した側面反射板１２Ａの外側板部３２と同様の原理で、側面反射板１２Ａの外側板部３２と反対方向、すなわち方向Ｚから見て時計回り方向に回転して、折り畳まれる。すなわち、側面反射板１２Ｂの外側板部３２には、図４に示すように、側面反射板１２Ｂの内側板部３０に向けて折り畳まれて、背面３２ｂが内側板部３０の背面３０ｂに対向する。
【００５６】
なお、音響反射装置１は、外側板部３２の折り畳みの際や、後述のように音響反射装置１を収納する際に、側面反射板１２Ａ、１２Ｂが舞台Ａの境界部Ａａ、Ａｂに当たらないように位置が設定されていることが好ましい。境界部Ａａ、Ａｂは、舞台Ａの方向Ｙにおける両端部であり、本実施形態では、舞台Ａの天井から張り出している張り出し部である。また、外側板部３２を折り畳む際には、作業者自身によって、力Ｆ１Ａ、Ｆ１Ｂを作用させるが、外側板部３２への力Ｆ１Ａ、Ｆ１Ｂの付与の方法は、任意であり、例えば機械によって外側板部３２に力Ｆ１Ａ、Ｆ１Ｂを作用させてもよい。すなわち、力Ｆ１Ａ、Ｆ１Ｂの作用のさせ方は、任意であってよい。同様に、後述の力Ｆ２Ａ、Ｆ２Ｂの作用のさせ方も、任意であってよい。
【００５７】
図４に示したように外側板部３２を折り畳んだら、作業者は、側面反射板１２Ａを、方向Ｙ側に向けて押す。すなわち、図４に示すように、側面反射板１２Ａには、作業者によって、側面反射板１２Ａの表面１２ａを押す方向の力である力Ｆ２Ａが作用する。言い換えれば、力Ｆ２Ａは、表面１２ａに対して直交する方向であって、表面１２ａを押す方向のベクトル成分を有する力であり、側面反射板１２Ａを舞台Ａの後方側に押す方向のベクトル成分を有するともいえる。より具体的には、作業者が側面反射板１２Ａの内側板部３０を方向Ｙ側に向けて押すことで、側面反射板１２Ａには、力Ｆ２Ａが作用する。なお、側面反射板１２Ａを折り畳まない場合は、図３の設置状態の側面反射板１２Ａに対し、力Ｆ２Ａを作用させる。
【００５８】
ここで、側面反射板１２Ａには、第２リンク機構１８Ａの第２リンク部５４が取り付けられている。従って、第２リンク機構１８Ａの第２リンク部５４には、側面反射板１２Ａを介して、力Ｆ２Ａが伝わる。第２リンク機構１８Ａの第２リンク部５４は、力Ｆ２Ａにより、方向Ｚから見て、第２支点部５０を回転軸とした方向Ｙ側へのモーメント、すなわち図４の例では方向Ｚから見て反時計回りのモーメントが作用する。第２リンク機構１８Ａの第２リンク部５４は、この反時計回りのモーメントにより、図５に示すように、第２支点部５０を中心に反時計回りに回転する。側面反射板１２Ａは、この第２リンク部５４と一体で移動するため、第２リンク部５４と共に、第２支点部５０を中心に反時計回りに回転して、方向Ｙ側であって方向Ｘと反対側に移動する。
【００５９】
さらに、第２リンク機構１８Ａの第２リンク部５４は、力Ｆ２Ａにより、方向Ｚから見て、第２接続部５２を回転軸とした方向Ｙ側へのモーメント、すなわち図４の例では方向Ｚから見て反時計回りのモーメントも作用する。第２リンク機構１８Ａの第２リンク部５４は、この反時計回りのモーメントにより、図５に示すように、第２接続部５２を中心に、正面反射板１０Ａに対して相対的に反時計回りに回転する。側面反射板１２Ａは、この第２リンク部５４と一体で移動するため、第２リンク部５４と共に、第２接続部５２を中心に、正面反射板１０Ａに対して相対的に反時計回りに回転する。
【００６０】
さらに、第２リンク機構１８Ａの第２リンク部５４は、第２接続部５２と補強部２０と第１接続部４２とを介して、第１リンク機構１６Ａの第１リンク部４４に接続されている。従って、第１リンク機構１６Ａの第１リンク部４４は、第１接続部４２に接続される他方の端部４４ｂに、力Ｆ２Ａの分力、すなわち力Ｆ２Ａの少なくとも一部が伝達される。第１リンク機構１６Ａの第１リンク部４４は、この伝達された力Ｆ２Ａの分力により、方向Ｚから見て、第１支点部４０を回転軸とした方向Ｙ側へのモーメント、すなわち図４の例では方向Ｚから見て反時計回りのモーメントが作用する。第１リンク機構１６Ａの第１リンク部４４は、この反時計回りのモーメントにより、図５に示すように、第１支点部４０を中心に反時計回りに回転する。また、正面反射板１０Ａにも、補強部２０及び第２接続部５２を介して、力Ｆ２Ａの分力が作用する。さらに、正面反射板１０Ａと第１リンク部４４とは、第１接続部４２を介して、回転可能に接続されている。従って、正面反射板１０Ａは、力Ｆ２Ａの分力により、第１接続部４２を中心に第１リンク部４４に対して相対的に回転しつつ、方向Ｙ側に移動する。すなわち、正面反射板１０Ａは、表面１０ａが方向Ｙに沿った状態のまま、方向Ｙ側であって方向Ｘと反対側に移動する。
【００６１】
また、作業者は、図４に示した状態の側面反射板１２Ｂを、方向Ｙと反対側に向けて押す。すなわち、図４に示すように、側面反射板１２Ｂには、作業者によって、側面反射板１２Ｂの表面１２ａを押す方向の力である力Ｆ２Ｂが作用する。従って、側面反射板１２Ｂは、図５に示すように、力Ｆ２Ａが作用した側面反射板１２Ａと同様の原理で、側面反射板１２Ａと反対方向側に移動する。すなわち、側面反射板１２Ｂは、力Ｆ２Ｂにより、方向Ｚから見て時計回りに回転しつつ、方向Ｙと反対側であって方向Ｘと反対側に移動する。また、正面反射板１０Ｂも、正面反射板１０Ａと同様の原理で、正面反射板１０Ａと反対方向側に移動する。すなわち、正面反射板１０Ｂは、表面１０ａが方向Ｙに沿った状態のまま、方向Ｙと反対側であって方向Ｘと反対側に移動する。
【００６２】
このように、音響反射装置１は、力Ｆ２Ａが作用することで、図５に示すように、側面反射板１２Ａを、方向Ｚから見て反時計回りに回転させつつ、方向Ｙ側であって方向Ｘと反対側に移動させ、正面反射板１０Ａを、表面１０ａが方向Ｙに沿った状態のまま、方向Ｙ側であって方向Ｘと反対側に移動させる。そして、音響反射装置１は、力Ｆ２Ｂが作用することで、図５に示すように、側面反射板１２Ｂを、方向Ｚから見て時計回りに回転させつつ、方向Ｙと反対側であって方向Ｘと反対側に移動させ、正面反射板１０Ｂを、表面１０ａが方向Ｙに沿った状態のまま、方向Ｙと反対側であって方向Ｘと反対側に移動させる。
【００６３】
音響反射装置１は、力Ｆ２Ａ、Ｆ２Ｂが作用することで、図５の状態を経て、図６の収納状態となる。具体的には、側面反射板１２Ａは、第２リンク機構１８Ａの第２リンク部５４と共に、方向Ｙ側であって方向Ｘと反対側に移動しつつ方向Ｚから見て反時計回りに回転して、図６に示すように、背面１２ｂが、方向Ｘにおいて舞台Ａの背面Ａｃに対向する。なお、背面Ａｃは、舞台Ａの方向Ｘと反対型の壁面である。より詳しくは、側面反射板１２Ａは、折り畳まれているため、収納状態において、外側板部３２の表面３２ａが、舞台Ａの背面Ａｃに対向する。これにより、側面反射板１２Ａは、収納状態となる。このように、側面反射板１２Ａは、設置状態においては方向Ｘ側に突出していたが、回転しながら収納状態に移行するため、収納状態において、表面１２ａが方向Ｙに沿う。また、正面反射板１０Ａは、表面１０ａが方向Ｙに沿った状態のまま、方向Ｙ側であって方向Ｘと反対側に移動して、図６に示すように、第２リンク機構１８Ａを隔てて、方向Ｘにおいて舞台Ａの背面Ａｃに対向する。これにより、正面反射板１０Ａは、収納状態となる。
【００６４】
同様に、側面反射板１２Ｂは、方向Ｙと反対側であって方向Ｘと反対側に移動しつつ方向Ｚから見て時計回りに回転して、図６に示すように、背面１２ｂ、言い換えれば外側板部３２の表面３２ａが、方向Ｘにおいて舞台Ａの背面Ａｃに対向する。これにより、側面反射板１２Ｂは、収納状態となる。また、正面反射板１０Ｂは、表面１０ａが方向Ｙに沿った状態のまま、方向Ｙと反対側であって方向Ｘと反対側に移動して、図６に示すように、第２リンク機構１８Ｂを隔てて、方向Ｘにおいて舞台Ａの背面Ａｃに対向する。これにより、正面反射板１０Ｂは、収納状態となる。このように、収納状態において、側面反射板１２と正面反射板１０とは、表面１２ａ、１０ａが方向Ｙに沿った状態で、設置状態よりも舞台Ａの後方側（方向Ｘと反対側）に位置する。
【００６５】
以上のようにして、音響反射装置１は、設置状態から収納状態に切り替える。一方、収納状態から設置状態への切り替えは、設置状態から収納状態への切り替えと逆の手順で行うことができる。すなわち、設置状態から収納状態に切り替える際には、図６に示す設置状態における側面反射板１２Ａに対し、力Ｆ２Ａと反対方向の力、すなわち、側面反射板１２Ａの表面１２ａを引く方向の力（側面反射板１２Ａの背面１２ｂを押す方向の力）を作用させる。これにより、第２リンク機構１８Ａの第２リンク部５４は、方向Ｚから見て第２支点部５０を回転軸とした時計回りのモーメントが作用して、第２支点部５０を中心に時計回りに回転する。側面反射板１２Ａは、第２リンク部５４と共に、第２支点部５０を中心に時計回りに回転して、方向Ｙと反対側であって方向Ｘ側に移動する。また、第２リンク機構１８Ａの第２リンク部５４と側面反射板１２Ａとには、方向Ｚから見て第２接続部５２を中心とした時計回りのモーメントが作用し、第２接続部５２を中心に、正面反射板１０Ａに対して相対的に時計回りに回転する。すなわち、側面反射板１２Ａは、力Ｆ２Ａと反対方向の力が作用することで、図６の示す収納状態から、図５の状態を経て、図４の状態となる。また、第１リンク機構１６Ａの第１リンク部４４は、第１支点部４０を回転軸とした時計回りのモーメントが作用して、第１支点部４０を中心に時計回りに回転する。そして、正面反射板１０Ａは、第１接続部４２を中心に第１リンク部４４に対して相対的に回転しつつ、方向Ｙと反対側であって方向Ｘ側に移動する。従って、正面反射板１０Ａは、表面１０ａが方向Ｙに沿った状態のまま、方向Ｙと反対側であって方向Ｘ側に移動する。側面反射板１２Ａと正面反射板１０Ａとは、力Ｆ２Ａと反対方向の力によってこのように動作することで、図６の収納状態から、図５の状態を経て、図４の状態となる。
【００６６】
さらに、図４の状態において、側面反射板１２Ａの外側板部３２に対し、力Ｆ１Ａと反対方向の力、すなわち、外側板部３２の表面３２ａを引く方向の力、言い換えれば、外側板部３２の背面３２ｂを押す方向の力を作用させる。これにより、側面反射板１２Ａの外側板部３２は、方向Ｚから見て連結部３４を回転軸とした時計回りのモーメントが作用して時計回りに回転して、折り畳まれた状態から、図３に示す開かれた状態に戻る。これにより、音響反射装置１は、設置状態になる。なお、側面反射板１２Ｂ及び正面反射板１０Ｂの収納状態から設置状態への切り替えも、同様に、設置状態から収納状態への切り替えと逆の手順で行うことが可能なので、説明を省略する。
【００６７】
以上説明したように、本実施形態に係る音響反射装置１は、舞台Ａに設けられる正面反射板１０と、正面反射板１０よりも舞台Ａの側方側に設けられる側面反射板１２と、第１リンク機構１６と、第２リンク機構１８とを有する。第１リンク機構１６は、舞台Ａに支持される第１支点部４０と、正面反射板１０に接続される第１接続部４２と、第１支点部４０及び第１接続部４２に回動可能に接続される第１リンク部４４と、を有する。また、第２リンク機構１８は、舞台Ａに支持される第２支点部５０と、正面反射板１０に接続される第２接続部５２と、第２支点部５０及び第２接続部５２に回動可能に接続され、かつ、側面反射板１２に接続される第２リンク部５４を有する。
【００６８】
舞台では、演奏や演劇など、様々な種類の上演が行われる場合がある。このような場合、上演の内容によっては、音響反射装置を必要としない場合もある。従って、音響反射装置は、設置状態と収納状態とを切り替え可能に構成されていることが好ましい。しかし、音響反射装置が有する正面反射板及び側面反射板は、サイズ及び重量が大きいため、設置状態と収納状態との切り替えに労力を要する。従って、設置状態と収納状態とを容易に切り替えることが求められている。それに対し、本実施形態に係る音響反射装置１において、正面反射板１０は、第１リンク部４４に接続されることにより、第１リンク部４４と共に、第１支点部４０を中心に回転可能である。そして、側面反射板１２は、第２リンク部５４に接続されることにより、第２リンク部５４と共に、第２支点部５０を中心に回転可能である。そして、正面反射板１０と側面反射板１２とは、第１リンク機構１６及び第２リンク機構１８を介して、より具体的には、第２接続部５２及び第２リンク部５４を介して、互いに接続（連結）されている。従って、この音響反射装置１によると、例えば側面反射板１２に力を作用させるだけで、すなわち、１つの動作だけで、第２リンク部５４を介して側面反射板１２を動かしつつ、側面反射板１２への力を正面反射板１０側に伝達して、第１リンク部４４を介して正面反射板１０を動かすことができる。すなわち、この音響反射装置１によると、正面反射板１０と側面反射板１２とが、第１リンク機構１６及び第２リンク機構１８によって連結されることで、設置状態と収納状態とを容易に切り替えることができる。さらに、一度の動作で正面反射板１０と側面反射板１２とを動かすことができるため、設置状態と収納状態との切り替え時間を短縮することができる。
【００６９】
また、側面反射板１２が正面反射板１０の側部から舞台Ａの前方側（方向Ｘ側）に位置した設置状態において、音響反射装置１は、側面反射板１２を舞台Ａの後方へ押す方向の力である力Ｆ２Ａが付与された場合、第２リンク機構１８の第２支点部５０を中心に第２リンク部５４を回転させる。これにより、側面反射板１２は、舞台Ａの後方側（方向Ｘと反対側）に移動し、第２接続部５２を介して正面反射板１０に力Ｆ２Ａの少なくとも一部を伝達する。そして、第２リンク機構１８によって正面反射板１０に伝達された力Ｆ２Ａによって、第１支点部４０を中心に第１リンク部４４を回転させて、正面反射板１０が舞台Ａの後方側に移動する。この音響反射装置１は、設置状態において、側面反射板１２に力Ｆ２Ａが付与されることで、第２リンク機構１８によって側面反射板１２を舞台Ａの後方側に移動させつつ、第１リンク機構１６によって正面反射板１０を舞台Ａの後方側に移動させる。この音響反射装置１によると、側面反射板１２に力Ｆ２Ａを作用させるだけで、すなわち、１つの動作だけで、側面反射板１２と正面反射板１０との両方を、舞台Ａの後方側に動かすことができる。従って、この音響反射装置１によると、設置状態と収納状態とを容易に切り替えることができる。
【００７０】
また、第１接続部４２と第２接続部５２とは、正面反射板１０の背面１０ｂに取付けられる。この音響反射装置１は、第１接続部４２と第２接続部５２とが背面１０ｂ側に取付けられることで、設置状態と収納状態とを適切に切り替え可能とし、音を反射する表面１０ａを、反射に適した形状に保つことができる。なお、第１接続部４２と第２接続部５２とは、このように正面反射板１０の背面１０ｂに取付けられることが好ましいが、レイアウト的に可能であれば、正面反射板１０の背面１０ｂ以外の面、例えば側面などに取付けられてもよい。
【００７１】
また、第２リンク部５４は、側面反射板１２に回動不可能に接続される。音響反射装置１は、第１リンク部４４及び第２リンク部５４が、正面反射板１０に相対的に回転可能であり、かつ、第２リンク部５４が側面反射板１２に対し回転不可能となっている。従って、正面反射板１０は、第１リンク部４４及び第２リンク部５４の回転に合わせて姿勢を変化させることなく、例えば方向Ｙに沿った状態で収納されることが可能となる。従って、この音響反射装置１によると、例えば、収納状態の正面反射板１０を舞台Ａの背面Ａｃに沿わせることが可能となり、収納時に舞台Ａを占めるスペースを小さくすることができる。ただし、第２リンク部５４は、側面反射板１２に対して必ずしも回動不可能に接続されることに限られず、回動可能に接続されていてもよい。
【００７２】
また、音響反射装置１は、第１支点部４０と第２支点部５０とを結ぶ線分Ｌ１が、第１接続部４２と第２接続部５２とを結ぶ線分Ｌ２に対し平行となるように、第１リンク機構１６と第２リンク機構１８とが配置されている。この音響反射装置１は、線分Ｌ１と線分Ｌ２とを平行にすることで、第１リンク機構１６と第２リンク機構１８とを平行リンクにすることができるため、設置状態と収納状態とを容易に切り替えることができる。
【００７３】
また、側面反射板１２は、第２リンク部５４に接続される内側板部３０と、内側板部３０の端部３０ｄ（側部）に回転可能に接続される外側板部３２と、を有する。側面反射板１２は、外側板部３２を内側板部３０に対して回転させることで、折り畳み可能に構成されている。この音響反射装置１は、側面反射板１２が折り畳み可能であるため、よりコンパクトに収納することが可能となる。
【００７４】
また、音響反射装置１は、舞台Ａの側方に向かう方向（方向Ｙ）に沿って並んだ複数の反射板ユニット１１と、舞台Ａの上方に設けられる天井反射板１４と、を有する。それぞれの反射板ユニット１１は、正面反射板１０と、側面反射板１２と、第１リンク機構１６と、第２リンク機構１８を有している。この音響反射装置１は、複数の反射板ユニット１１と、天井反射板１４とを備えることで、設置状態と収納状態とを容易に切り替えつつ、舞台Ａの音を適切に反射することができる。
【００７５】
以上、本発明の実施形態、実施例及び変形例を説明したが、これらの内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【符号の説明】
【００７６】
１  音響反射装置
１０、１０Ａ、１０Ｂ  正面反射板
１２、１２Ａ、１２Ｂ  側面反射板
１４  天井反射板
１６、１６Ａ、１６Ｂ  第１リンク機構
１８、１８Ａ、１８Ｂ  第２リンク機構
４０  第１支点部
４２  第１接続部
４４  第１リンク部
５０  第２支点部
５２  第２接続部
５４  第２リンク部
Ａ  舞台
Ａ１  区域
【図１】
2020068893.tif 000003
【図２】
2020068893.tif 000004
【図３】
2020068893.tif 000005
【図４】
2020068893.tif 000006
【図５】
2020068893.tif 000007
【図６】
2020068893.tif 000008